(57)【要約】自車両の周辺状況を認識する認識部と、自車両の速度制御と操舵制御とのうち少なくとも一方を自動的に行う自動運転モードを含む、複数の運転モードを実行する自動運転制御部であって、認識部により認識された周辺状況に基づいて、実行する運転モードを切り替える自動運転制御部と、自動運転制御部により、認識部により認識された周辺状況に基づいて自動運転の度合が低い運転モードに切り替えられた切替地点に関する情報を外部装置に送信すると共に、外部装置から、車両から収集された切替地点に関する情報に基づいて導出された特定地点に関する情報を受信する通信部と、通信部により受信された特定地点に関する情報が示す特定地点に自車両が接近した場合に、所定の情報を出力する情報提供部とを備える車両制御システム。
2017179151.tif 000002
【特許請求の範囲】
【請求項１】
自車両の周辺状況を認識する認識部と、
前記自車両の速度制御と操舵制御とのうち少なくとも一方を自動的に行う自動運転モードを含む、複数の運転モードを実行する自動運転制御部であって、前記認識部により認識された前記周辺状況に基づいて、実行する運転モードを切り替える自動運転制御部と、
前記自動運転制御部により、前記認識部により認識された前記周辺状況に基づいて自動運転の度合が低い運転モードに切り替えられた切替地点に関する情報を外部装置に送信すると共に、前記外部装置から、車両から収集された前記切替地点に関する情報に基づいて導出された特定地点に関する情報を受信する通信部と、
前記通信部により受信された前記特定地点に関する情報が示す特定地点に前記自車両が接近した場合に、所定の情報を出力する情報提供部と、
を備える車両制御システム。
【請求項２】
前記自動運転制御部は、前記通信部により受信された前記特定地点に関する情報に基づいて、実行する運転モードを切り替える、
請求項１記載の車両制御システム。
【請求項３】
前記通信部により受信された前記特定地点に関する情報が示す特定地点の位置情報を、地図情報に追加する地図編集部を更に備える、
請求項１または２記載の車両制御システム。
【請求項４】
前記外部装置は、車両から収集された前記切替地点に関する情報に基づいて前記特定地点の位置を導出し、前記導出した特定地点の位置情報を、前記外部装置が保持する地図情報に追加し、
前記通信部により受信される前記特定地点に関する情報は、前記外部装置が保持する地図情報のうち一部または全部に対し、前記特定地点の位置情報が追加された情報である、
請求項１または２記載の車両制御システム。
【請求項５】
前記切替地点に関する情報は、前記車両のそれぞれが前記切替地点のそれぞれにおいて前記運転モードの切り替えを行ったか否かを示す情報を含み、
前記外部装置は、
前記切替地点ごとに、前記運転モードの切り替えの有無を統計した数値に基づく指標を導出し、
前記切替地点ごとに導出した指標が閾値を超える地点を、特定地点として決定し、
前記決定した特定地点に関する情報を、前記通信部に送信する、
請求項１から４のうちいずれか１項に記載の車両制御システム。
【請求項６】
車載コンピュータが、
自車両の周辺状況を認識し、
前記自車両の速度制御と操舵制御とのうち少なくとも一方を自動的に行う自動運転モードを含む複数の運転モードを実行し、
前記認識した前記周辺状況に基づいて、実行する運転モードを切り替え、
前記認識した前記周辺状況に基づいて自動運転の度合が低い運転モードに切り替えられた切替地点に関する情報を外部装置に送信すると共に、前記外部装置から、車両から収集された前記切替地点に関する情報に基づいて導出された特定地点に関する情報を受信し、
前記受信した前記特定地点に関する情報が示す特定地点に前記自車両が接近した場合に、所定の情報を出力する、
車両制御方法。
【請求項７】
車載コンピュータに、
自車両の周辺状況を認識する処理と、
前記自車両の速度制御と操舵制御とのうち少なくとも一方を自動的に行う自動運転モードを含む複数の運転モードを実行する処理と、
前記認識した前記周辺状況に基づいて、実行する運転モードを切り替える処理と、
前記認識した前記周辺状況に基づいて自動運転の度合が低い運転モードに切り替えられた切替地点に関する情報を外部装置に送信すると共に、前記外部装置から、車両から収集された前記切替地点に関する情報に基づいて導出された特定地点に関する情報を受信する処理と、
前記受信した前記特定地点に関する情報が示す特定地点に前記自車両が接近した場合に、所定の情報を出力する処理と、
を実行させる車両制御プログラム。
【発明の詳細な説明】
【技術分野】
【０００１】
本発明は、車両制御システム、車両制御方法、および車両制御プログラムに関する。
【背景技術】
【０００２】
近年、自車両の加減速と操舵とのうち、少なくとも一方を自動的に制御する技術（以下、自動運転）について研究が進められている。これに関連して、所定の標準制御モード、または標準制御モードとは異なる特定制御モードの何れかの制御モードで、自動運転制御を実行する技術が開示されている（例えば、特許文献１参照）。
【先行技術文献】
【特許文献】
【０００３】
【特許文献１】特開２０１５−８９８０１号公報
【発明の概要】
【発明が解決しようとする課題】
【０００４】
自動運転のモード切り替え、或いは自動運転から手動運転への切り替えは、車両乗員の意図しないタイミングで発生する場合がある。このとき、切り替えが発生したことを車両乗員が知ったとしても、それを回避する行動をとることができない場合がある。【０００５】
本発明は、このような事情を考慮してなされたものであり、自動運転の切り替わりが多い特定地点の情報を予め車両乗員に報知し、種々の行動をとらせることを可能とすることを目的の一つとする。
【課題を解決するための手段】
【０００６】
請求項１記載の発明は、自車両の周辺状況を認識する認識部と、前記自車両の速度制御と操舵制御とのうち少なくとも一方を自動的に行う自動運転モードを含む複数の運転モードを実行する自動運転制御部であって、前記認識部により認識された前記周辺状況に基づいて、実行する運転モードを切り替える自動運転制御部と、前記自動運転制御部により、前記認識部により認識された前記周辺状況に基づいて自動運転の度合が低い運転モードに切り替えられた切替地点に関する情報を外部装置に送信すると共に、前記外部装置から、車両から収集された前記切替地点に関する情報に基づいて導出された特定地点に関する情報を受信する通信部と、前記通信部により受信された前記特定地点に関する情報が示す特定地点に前記自車両が接近した場合に、所定の情報を出力する情報提供部と、を備える車両制御システムである。【０００７】
請求項２記載の発明は、請求項１記載の車両制御システムにおいて、前記自動運転制御部が、前記通信部により受信された前記特定地点に関する情報に基づいて、実行する運転モードを切り替えるものである。【０００８】
請求項３記載の発明は、請求項１または２記載の車両制御システムにおいて、前記通信部により受信された前記特定地点に関する情報が示す特定地点の位置情報を、地図情報に追加する地図編集部を更に備えるものである。【０００９】
請求項４記載の発明は、請求項１または２記載の車両制御システムにおいて、前記外部装置が、車両から収集された前記切替地点に関する情報に基づいて前記特定地点の位置を導出し、前記導出した特定地点の位置情報を、前記外部装置が保持する地図情報に追加し、前記通信部により受信される前記特定地点に関する情報は、前記外部装置が保持する地図情報のうち一部または全部に対し、前記特定地点の位置情報が追加された情報である。【００１０】
請求項５記載の発明は、請求項１から３のうちいずれか１項に記載の車両制御システムにおいて、前記切替地点に関する情報は、前記車両のそれぞれが前記切替地点のそれぞれにおいて前記運転モードの切り替えを行ったか否かを示す情報を含み、前記外部装置は、前記切替地点ごとに、前記運転モードの切り替えの有無を統計した数値に基づく指標を導出し、前記切替地点ごとに導出した指標が閾値を超える地点を、特定地点として決定し、前記決定した特定地点に関する情報を、前記通信部に送信する。【００１１】
請求項６記載の発明は、車載コンピュータが、自車両の周辺状況を認識し、前記自車両の速度制御と操舵制御とのうち少なくとも一方を自動的に行う自動運転モードを含む複数の運転モードを実行し、前記認識した前記周辺状況に基づいて、実行する運転モードを切り替え、前記認識した前記周辺状況に基づいて自動運転の度合が低い運転モードに切り替えられた切替地点に関する情報を外部装置に送信すると共に、前記外部装置から、車両から収集された前記切替地点に関する情報に基づいて導出された特定地点に関する情報を受信し、前記受信した前記特定地点に関する情報が示す特定地点に前記自車両が接近した場合に、所定の情報を出力する車両制御方法である。【００１２】
請求項７記載の発明は、車載コンピュータに、自車両の周辺状況を認識する処理と、前記自車両の速度制御と操舵制御とのうち少なくとも一方を自動的に行う自動運転モードを含む複数の運転モードを実行する処理と、前記認識した前記周辺状況に基づいて、実行する運転モードを切り替える処理と、前記認識した前記周辺状況に基づいて自動運転の度合が低い運転モードに切り替えられた切替地点に関する情報を外部装置に送信すると共に、前記外部装置から、車両から収集された前記切替地点に関する情報に基づいて導出された特定地点に関する情報を受信する処理と、前記受信した前記特定地点に関する情報が示す特定地点に前記自車両が接近した場合に、所定の情報を出力する処理とを実行させる車両制御プログラムである。
【発明の効果】
【００１３】
請求項１、３〜７に記載の発明によれば、自動運転の切り替わりが多い特定地点の情報を予め車両乗員に報知し、種々の行動をとらせることを可能とすることができる。【００１４】
請求項２に記載の発明によれば、自動運転の度合が大きいモードを継続できる状況において、特定地点の位置情報を参照することで、特定地点に到達する前に事前に自動運転の度合が小さいモードに切り替えることができるため、車両乗員にゆとりを持って種々の行動をとらせることができる。
【図面の簡単な説明】
【００１５】
【図１】実施形態における車両制御システムを含む通信システム１の全体構成を模式的に示す図である。
【図２】自車両Ｍの構成要素を示す図である。
【図３】車両制御システム１００を中心とした機能構成図である。
【図４】ＨＭＩ７０の構成図である。
【図５】自車位置認識部１４０により走行車線Ｌ１に対する自車両Ｍの相対位置が認識される様子を示す図である。
【図６】ある区間について生成された行動計画の一例を示す図である。
【図７】軌道生成部１４６の構成の一例を示す図である。
【図８】軌道候補生成部１４６Ｂにより生成される軌道の候補の一例を示す図である。
【図９】軌道候補生成部１４６Ｂにより生成される軌道の候補を軌道点Ｋで表現した図である。
【図１０】車線変更ターゲット位置ＴＡを示す図である。
【図１１】３台の周辺車両の速度を一定と仮定した場合の速度生成モデルを示す図である。
【図１２】ＨＭＩ制御部１７０の構成の一例を示す図である。
【図１３】モード別操作可否情報１８８の一例を示す図である。
【図１４】車両毎モード切替情報の一例を示す図である。
【図１５】特定地点の位置情報が追加された高精度地図情報ＭＩの一例を示す図である。
【図１６】車両制御システム１００により行われる処理の流れの一例を示すフローチャートである。
【図１７】実施形態におけるサーバ装置３００の構成の一例を示す図である。
【図１８】モード切替頻度情報３３４の一例を示す図である。
【図１９】モード切替頻度情報３３４のマップの一例を示す図である。
【図２０】モード切替頻度情報３３４のマップの他の例を示す図である。
【図２１】サーバ装置３００により行われる処理の流れの一例を示すフローチャートである。
【発明を実施するための形態】
【００１６】
以下、図面を参照し、本発明の車両制御システム、車両制御方法、および車両制御プログラムの実施形態について説明する。
【００１７】
図１は、実施形態における車両制御システムを含む通信システム１の全体構成を模式的に示す図である。通信システム１は、例えば、各車両に搭載された車両制御システム１００−１から１００−ｎと、サーバ装置３００と、を備える。以下、車両制御システム１００−１から１００−ｎを特段区別しない場合は、単に車両制御システム１００と省略して説明する。
【００１８】
車両制御システム１００は、例えば、無線基地局ＢＳを介してサーバ装置３００と通信を行う。例えば、車両制御システム１００と無線基地局ＢＳとの間では、携帯電話網などを利用した無線通信が行われ、無線基地局ＢＳとサーバ装置３００との間では、ＷＡＮ（Wide Area Network）などのネットワークＮＷを利用した有線通信が行われる。なお、道路端に設置された路側装置等を利用して車両制御システム１００とサーバ装置３００との間の通信が行われてもよい。
【００１９】
図２は、実施形態の車両制御システム１００が搭載される車両（以下、自車両Ｍと称する）の構成要素を示す図である。車両制御システム１００が搭載される車両は、例えば、二輪や三輪、四輪等の自動車であり、ディーゼルエンジンやガソリンエンジン等の内燃機関を動力源とした自動車や、電動機を動力源とした電気自動車、内燃機関および電動機を兼ね備えたハイブリッド自動車等を含む。電気自動車は、例えば、二次電池、水素燃料電池、金属燃料電池、アルコール燃料電池等の電池により放電される電力を使用して駆動される。
【００２０】
図２に示すように、自車両Ｍには、ファインダ２０−１から２０−７、レーダ３０−１から３０−６、およびカメラ４０等のセンサと、ナビゲーション装置５０と、車両制御システム１００とが搭載される。
【００２１】
ファインダ２０−１から２０−７は、例えば、照射光に対する散乱光を測定し、対象までの距離を測定するＬＩＤＡＲ（Light Detection and Ranging、或いはLaser Imaging Detection and Ranging）である。例えば、ファインダ２０−１は、フロントグリル等に取り付けられ、ファインダ２０−２および２０−３は、車体の側面やドアミラー、前照灯内部、側方灯付近等に取り付けられる。ファインダ２０−４は、トランクリッド等に取り付けられ、ファインダ２０−５および２０−６は、車体の側面や尾灯内部等に取り付けられる。上述したファインダ２０−１から２０−６は、例えば、水平方向に関して１５０度程度の検出領域を有している。また、ファインダ２０−７は、ルーフ等に取り付けられる。ファインダ２０−７は、例えば、水平方向に関して３６０度の検出領域を有している。
【００２２】
レーダ３０−１および３０−４は、例えば、奥行き方向の検出領域が他のレーダよりも広い長距離ミリ波レーダである。また、レーダ３０−２、３０−３、３０−５、３０−６は、レーダ３０−１および３０−４よりも奥行き方向の検出領域が狭い中距離ミリ波レーダである。
【００２３】
以下、ファインダ２０−１から２０−７を特段区別しない場合は、単に「ファインダ２０」と記載し、レーダ３０−１から３０−６を特段区別しない場合は、単に「レーダ３０」と記載する。レーダ３０は、例えば、ＦＭ−ＣＷ（Frequency Modulated Continuous Wave）方式によって物体を検出する。
【００２４】
カメラ４０は、例えば、ＣＣＤ（Charge Coupled Device）やＣＭＯＳ（Complementary Metal Oxide Semiconductor）等の個体撮像素子を利用したデジタルカメラである。カメラ４０は、フロントウインドシールド上部やルームミラー裏面等に取り付けられる。カメラ４０は、例えば、周期的に繰り返し自車両Ｍの前方を撮像する。カメラ４０は、複数のカメラを含むステレオカメラであってもよい。
【００２５】
なお、図２に示す構成はあくまで一例であり、構成の一部が省略されてもよいし、更に別の構成が追加されてもよい。
【００２６】
図３は、実施形態に係る車両制御システム１００を中心とした機能構成図である。自車両Ｍには、ファインダ２０、レーダ３０、およびカメラ４０などを含む検知デバイスＤＤと、ナビゲーション装置５０と、車両側通信装置５５と、車両センサ６０と、ＨＭＩ（Human Machine Interface）７０と、車両制御システム１００と、走行駆動力出力装置２００と、ステアリング装置２１０と、ブレーキ装置２２０とが搭載される。これらの装置や機器は、ＣＡＮ（Controller Area Network）通信線等の多重通信線やシリアル通信線、無線通信網等によって互いに接続される。なお、特許請求の範囲における車両制御システムは、「車両制御システム１００」のみを指しているのではなく、車両制御システム１００以外の構成（検知デバイスＤＤやＨＭＩ７０など）を含んでもよい。
【００２７】
ナビゲーション装置５０は、ＧＮＳＳ（Global Navigation Satellite System）受信機や地図情報（ナビ地図）、ユーザインターフェースとして機能するタッチパネル式表示装置、スピーカ、マイク等を有する。ナビゲーション装置５０は、ＧＮＳＳ受信機によって自車両Ｍの位置を特定し、その位置からユーザによって指定された目的地までの経路を導出する。ナビゲーション装置５０により導出された経路は、車両制御システム１００の目標車線決定部１１０に提供される。自車両Ｍの位置は、車両センサ６０の出力を利用したＩＮＳ（Inertial Navigation System）によって特定または補完されてもよい。また、ナビゲーション装置５０は、車両制御システム１００が手動運転モードを実行している際に、目的地に至る経路について音声やナビ表示によって案内を行う。なお、自車両Ｍの位置を特定するための構成は、ナビゲーション装置５０とは独立して設けられてもよい。また、ナビゲーション装置５０は、例えば、ユーザの保有するスマートフォンやタブレット端末等の端末装置の機能によって実現されてもよい。この場合、端末装置と車両制御システム１００との間で、無線または有線による通信によって情報の送受信が行われる。
【００２８】
車両側通信装置５５は、例えば、セルラー網やＷｉ−Ｆｉ網、Ｂｌｕｅｔｏｏｔｈ（登録商標）、ＤＳＲＣ（Dedicated Short Range Communication）などを利用した無線通信を行う。車両側通信装置５５は、例えば、ＶＩＣＳ（登録商標）（Vehicle Information and Communication System）などの道路の交通状況を監視するシステムの情報提供用サーバと無線通信を行い、自車両Ｍが走行している道路や走行予定の道路の交通状況を示す情報（以下、交通情報と称する）を取得する。交通情報には、前方の渋滞情報、渋滞地点の所要時間、事故・故障車・工事情報、速度規制・車線規制情報、駐車場の位置、駐車場・サービスエリア・パーキングエリアの満車・空車情報などの情報が含まれる。また、車両側通信装置５５は、道路の側帯などに設けられた無線ビーコンと通信を行ったり、自車両Ｍの周囲を走行する他車両と車車間通信を行ったりすることで、上記交通情報を取得してもよい。車両側通信装置５５は、「通信部」の一例である。
【００２９】
また、車両側通信装置５５は、サーバ装置３００と通信を行い、特定地点に関する情報を含む高精度地図情報ＭＩや特定地点に関する情報そのものを受信する。特定地点とは、通信システム１内のおける自車両Ｍまたは他車両が、後述する自動運転モードを、より自動運転の度合の低いモードに切り替えた地点である。この特定地点に関する情報は、例えば、経度、緯度、高さを含む３次元座標などの位置情報で表されてもよいし、ある走行区間の車線そのものとして表されてもよいし、交差点や分岐点といった既存の物標を基準とした相対的な位置情報で表されてもよい。特定地点の詳細については、後述する。
【００３０】
車両センサ６０は、車速を検出する車速センサ、加速度を検出する加速度センサ、鉛直軸回りの角速度を検出するヨーレートセンサ、自車両Ｍの向きを検出する方位センサ等を含む。
【００３１】
図４は、ＨＭＩ７０の構成図である。ＨＭＩ７０は、例えば、運転操作系の構成と、非運転操作系の構成とを備える。これらの境界は明確なものでは無く、運転操作系の構成が非運転操作系の機能を備える（或いはその逆）ことがあってもよい。
【００３２】
ＨＭＩ７０は、運転操作系の構成として、例えば、アクセルペダル７１、アクセル開度センサ７２およびアクセルペダル反力出力装置７３と、ブレーキペダル７４およびブレーキ踏量センサ（或いはマスター圧センサなど）７５と、シフトレバー７６およびシフト位置センサ７７と、ステアリングホイール７８、ステアリング操舵角センサ７９およびステアリングトルクセンサ８０と、その他運転操作デバイス８１とを含む。
【００３３】
アクセルペダル７１は、車両乗員による加速指示（或いは戻し操作による減速指示）を受け付けるための操作子である。アクセル開度センサ７２は、アクセルペダル７１の踏み込み量を検出し、踏み込み量を示すアクセル開度信号を車両制御システム１００に出力する。なお、車両制御システム１００に出力するのに代えて、走行駆動力出力装置２００、ステアリング装置２１０、またはブレーキ装置２２０に直接出力することがあってもよい。以下に説明する他の運転操作系の構成についても同様である。アクセルペダル反力出力装置７３は、例えば車両制御システム１００からの指示に応じて、アクセルペダル７１に対して操作方向と反対向きの力（操作反力）を出力する。
【００３４】
ブレーキペダル７４は、車両乗員による減速指示を受け付けるための操作子である。ブレーキ踏量センサ７５は、ブレーキペダル７４の踏み込み量（或いは踏み込み力）を検出し、検出結果を示すブレーキ信号を車両制御システム１００に出力する。
【００３５】
シフトレバー７６は、車両乗員によるシフト段の変更指示を受け付けるための操作子である。シフト位置センサ７７は、車両乗員により指示されたシフト段を検出し、検出結果を示すシフト位置信号を車両制御システム１００に出力する。
【００３６】
ステアリングホイール７８は、車両乗員による旋回指示を受け付けるための操作子である。ステアリング操舵角センサ７９は、ステアリングホイール７８の操作角を検出し、検出結果を示すステアリング操舵角信号を車両制御システム１００に出力する。ステアリングトルクセンサ８０は、ステアリングホイール７８に加えられたトルクを検出し、検出結果を示すステアリングトルク信号を車両制御システム１００に出力する。
【００３７】
その他運転操作デバイス８１は、例えば、ジョイスティック、ボタン、ダイヤルスイッチ、ＧＵＩ（Graphical User Interface）スイッチなどである。その他運転操作デバイス８１は、加速指示、減速指示、旋回指示などを受け付け、車両制御システム１００に出力する。
【００３８】
ＨＭＩ７０は、非運転操作系の構成として、例えば、表示装置８２、スピーカ８３、接触操作検出装置８４およびコンテンツ再生装置８５と、各種操作スイッチ８６と、シート８８およびシート駆動装置８９と、ウインドウガラス９０およびウインドウ駆動装置９１と、車室内カメラ９５とを含む。
【００３９】
表示装置８２は、例えば、インストルメントパネルの各部、助手席や後部座席に対向する任意の箇所などに取り付けられる、ＬＣＤ（Liquid Crystal Display）や有機ＥＬ（Electroluminescence）表示装置などである。また、表示装置８２は、フロントウインドシールドやその他のウインドウに画像を投影するＨＵＤ（Head Up Display）であってもよい。スピーカ８３は、音声を出力する。接触操作検出装置８４は、表示装置８２がタッチパネルである場合に、表示装置８２の表示画面における接触位置（タッチ位置）を検出して、車両制御システム１００に出力する。なお、表示装置８２がタッチパネルでない場合、接触操作検出装置８４は省略されてよい。
【００４０】
コンテンツ再生装置８５は、例えば、ＤＶＤ（Digital Versatile Disc）再生装置、ＣＤ（Compact Disc）再生装置、テレビジョン受信機、各種案内画像の生成装置などを含む。表示装置８２、スピーカ８３、接触操作検出装置８４およびコンテンツ再生装置８５は、一部または全部がナビゲーション装置５０と共通する構成であってもよい。
【００４１】
各種操作スイッチ８６は、車室内の任意の箇所に配置される。各種操作スイッチ８６には、自動運転の開始（或いは将来の開始）および停止を指示する自動運転切替スイッチ８７を含む。自動運転切替スイッチ８７は、ＧＵＩ（Graphical User Interface）スイッチ、機械式スイッチのいずれであってもよい。また、各種操作スイッチ８６は、シート駆動装置８９やウインドウ駆動装置９１を駆動するためのスイッチを含んでもよい。
【００４２】
シート８８は、車両乗員が着座するシートである。シート駆動装置８９は、シート８８のリクライニング角、前後方向位置、ヨー角などを自在に駆動する。ウインドウガラス９０は、例えば各ドアに設けられる。ウインドウ駆動装置９１は、ウインドウガラス９０を開閉駆動する。
【００４３】
車室内カメラ９５は、ＣＣＤやＣＭＯＳ等の個体撮像素子を利用したデジタルカメラである。車室内カメラ９５は、バックミラーやステアリングボス部、インストルメントパネルなど、運転操作を行う車両乗員の少なくとも頭部を撮像可能な位置に取り付けられる。カメラ４０は、例えば、周期的に繰り返し車両乗員を撮像する。
【００４４】
なお、ＨＭＩ７０の非運転操作系には、ＨＭＩ７０の構成外として説明したナビゲーション装置５０や車両側通信装置５５が含まれてもよい。
【００４５】
車両制御システム１００の説明に先立って、走行駆動力出力装置２００、ステアリング装置２１０、およびブレーキ装置２２０について説明する。
【００４６】
走行駆動力出力装置２００は、車両が走行するための走行駆動力（トルク）を駆動輪に出力する。走行駆動力出力装置２００は、例えば、自車両Ｍが内燃機関を動力源とした自動車である場合、エンジン、変速機、およびエンジンを制御するエンジンＥＣＵ（Electronic Control Unit）を備え、自車両Ｍが電動機を動力源とした電気自動車である場合、走行用モータおよび走行用モータを制御するモータＥＣＵを備え、自車両Ｍがハイブリッド自動車である場合、エンジン、変速機、およびエンジンＥＣＵと走行用モータおよびモータＥＣＵとを備える。走行駆動力出力装置２００がエンジンのみを含む場合、エンジンＥＣＵは、後述する走行制御部１６０から入力される情報に従って、エンジンのスロットル開度やシフト段等を調整する。走行駆動力出力装置２００が走行用モータのみを含む場合、モータＥＣＵは、走行制御部１６０から入力される情報に従って、走行用モータに与えるＰＷＭ信号のデューティ比を調整する。走行駆動力出力装置２００がエンジンおよび走行用モータを含む場合、エンジンＥＣＵおよびモータＥＣＵは、走行制御部１６０から入力される情報に従って、互いに協調して走行駆動力を制御する。
【００４７】
ステアリング装置２１０は、例えば、ステアリングＥＣＵと、電動モータとを備える。電動モータは、例えば、ラックアンドピニオン機構に力を作用させて転舵輪の向きを変更する。ステアリングＥＣＵは、車両制御システム１００から入力される情報、或いは入力されるステアリング操舵角またはステアリングトルクの情報に従って電動モータを駆動し、転舵輪の向きを変更させる。
【００４８】
ブレーキ装置２２０は、例えば、ブレーキキャリパーと、ブレーキキャリパーに油圧を伝達するシリンダと、シリンダに油圧を発生させる電動モータと、制動制御部とを備える電動サーボブレーキ装置である。電動サーボブレーキ装置の制動制御部は、走行制御部１６０から入力される情報に従って電動モータを制御し、制動操作に応じたブレーキトルクが各車輪に出力されるようにする。電動サーボブレーキ装置は、ブレーキペダルの操作によって発生させた油圧を、マスターシリンダを介してシリンダに伝達する機構をバックアップとして備えてよい。なお、ブレーキ装置２２０は、上記説明した電動サーボブレーキ装置に限らず、電子制御式油圧ブレーキ装置であってもよい。電子制御式油圧ブレーキ装置は、走行制御部１６０から入力される情報に従ってアクチュエータを制御して、マスターシリンダの油圧をシリンダに伝達する。また、ブレーキ装置２２０は、走行駆動力出力装置２００に含まれ得る走行用モータによる回生ブレーキを含んでもよい。
【００４９】
［車両制御システム］
以下、車両制御システム１００について説明する。車両制御システム１００は、例えば、一以上のプロセッサまたは同等の機能を有するハードウェアにより実現される。車両制御システム１００は、ＣＰＵ（Central Processing Unit）などのプロセッサ、記憶装置、および通信インターフェースが内部バスによって接続されたＥＣＵ（Electronic Control Unit）、或いはＭＰＵ（Micro-Processing Unit）などが組み合わされた構成であってよい。
【００５０】
図３に戻り、車両制御システム１００は、例えば、目標車線決定部１１０と、自動運転制御部１２０と、走行制御部１６０と、ＨＭＩ制御部１７０と、車両側記憶部１８０とを備える。自動運転制御部１２０は、例えば、自動運転モード制御部１３０と、自車位置認識部１４０と、外界認識部１４２と、行動計画生成部１４４と、軌道生成部１４６と、切替制御部１５０とを備える。上述した検知デバイスＤＤと、車両側通信装置５５と、外界認識部１４２とを合わせたものは、「認識部」の一例である。
【００５１】
目標車線決定部１１０、自動運転制御部１２０の各部、および走行制御部１６０のうち一部または全部は、プロセッサがプログラム（ソフトウェア）を実行することにより実現される。また、これらのうち一部または全部は、ＬＳＩ（Large Scale Integration）やＡＳＩＣ（Application Specific Integrated Circuit）等のハードウェアによって実現されてもよいし、ソフトウェアとハードウェアの組み合わせによって実現されてもよい。
【００５２】
車両側記憶部１８０には、例えば、高精度地図情報ＭＩ、目標車線情報１８４、行動計画情報１８６、モード別操作可否情報１８８などの情報が格納される。車両側記憶部１８０は、ＲＯＭ（Read Only Memory）やＲＡＭ（Random Access Memory）、ＨＤＤ（Hard Disk Drive）、フラッシュメモリ等で実現される。プロセッサが実行するプログラムは、予め車両側記憶部１８０に格納されていてもよいし、車載インターネット設備等を介して外部装置からダウンロードされてもよい。また、プログラムは、そのプログラムを格納した可搬型記憶媒体が図示しないドライブ装置に装着されることで車両側記憶部１８０にインストールされてもよい。また、車両制御システム１００は、複数のコンピュータ装置によって分散化されたものであってもよい。
【００５３】
目標車線決定部１１０は、例えば、ＭＰＵにより実現される。目標車線決定部１１０は、ナビゲーション装置５０から提供された経路を複数のブロックに分割し（例えば、車両進行方向に関して１００［ｍ］毎に分割し）、高精度地図情報ＭＩを参照してブロックごとに目標車線を決定する。目標車線決定部１１０は、例えば、左から何番目の車線を走行するといった決定を行う。目標車線決定部１１０は、例えば、経路において分岐箇所や合流箇所などが存在する場合、自車両Ｍが、分岐先に進行するための合理的な走行経路を走行できるように、目標車線を決定する。目標車線決定部１１０により決定された目標車線は、目標車線情報１８４として車両側記憶部１８０に記憶される。
【００５４】
高精度地図情報ＭＩは、ナビゲーション装置５０が有するナビ地図よりも高精度な地図情報である。高精度地図情報ＭＩは、例えば、車線の中央の情報あるいは車線の境界の情報等を含んでいる。また、高精度地図情報ＭＩには、道路情報、交通規制情報、住所情報（住所・郵便番号）、施設情報、電話番号情報などが含まれてよい。道路情報には、高速道路、有料道路、国道、都道府県道といった道路の種別を表す情報や、道路の車線数、各車線の幅員、道路の勾配、道路の位置（経度、緯度、高さを含む３次元座標）、車線のカーブの曲率、車線の合流および分岐ポイントの位置、道路に設けられた標識等の情報が含まれる。交通規制情報には、工事や交通事故、渋滞等によって車線が封鎖されているといった情報が含まれる。また、高精度地図情報ＭＩには、特定地点に関する情報が含まれてよい。
【００５５】
自動運転モード制御部１３０は、自動運転制御部１２０が実施する自動運転のモードを決定する。本実施形態における自動運転のモードには、以下のモードが含まれる。なお、以下はあくまで一例であり、自動運転のモード数は任意に決定されてよい。
【００５６】
［モードＡ］
モードＡは、最も自動運転の度合が高いモードである。モードＡが実施されている場合、複雑な合流制御など、全ての車両制御が自動的に行われるため、車両乗員は自車両Ｍの周辺や状態を監視する必要が無い（周辺監視義務が生じない）。
【００５７】
ここで、モードＡで選択される走行態様の一例としては、渋滞時に前走車両に追従する低速追従走行（ＴＪＰ；Traffic Jam Pilot）がある。低速追従走行では、混雑した高速道路上で前走車両に追従することで安全な自動運転を実現することができる。低速追従走行は、例えば自車両Ｍの走行速度が所定速度以上（例えば、６０ｋｍ／ｈ以上）になった場合に解除される。また、低速追従走行の終了するタイミングでモードＡから他の走行態様に切り替わる場合もあるが、モードＡにおいて選択可能な他の走行態様に切り替わってもよい。
【００５８】
［モードＢ］
モードＢは、モードＡの次に自動運転の度合が高いモードである。モードＢが実施されている場合、原則として全ての車両制御が自動的に行われるが、場面に応じて自車両Ｍの運転操作が車両乗員に委ねられる。このため、車両乗員は自車両Ｍの周辺や状態を監視している必要がある（モードＡと比べて周辺監視義務が増加する）。
【００５９】
［モードＣ］
モードＣは、モードＢの次に自動運転の度合が高いモードである。モードＣが実施されている場合、車両乗員は、場面に応じた確認操作をＨＭＩ７０に対して行う必要がある。モードＣでは、例えば、車線変更のタイミングが車両乗員に通知され、車両乗員がＨＭＩ７０に対して車線変更を指示する操作を行った場合に、自動的な車線変更が行われる。このため、車両乗員は自車両Ｍの周辺や状態を監視している必要がある。
【００６０】
自動運転モード制御部１３０は、ＨＭＩ７０に対する車両乗員の操作、行動計画生成部１４４により決定されたイベント、軌道生成部１４６により決定された走行態様などに基づいて、自動運転のモードを上記いずれかのモードに決定する。自動運転のモードは、ＨＭＩ制御部１７０に通知される。また、自動運転のモードには、自車両Ｍの検知デバイスＤＤの性能等に応じた限界が設定されてもよい。例えば、検知デバイスＤＤの性能が低い場合には、モードＡは実施されないものとしてよい。
【００６１】
何れの自動運転のモードにおいても、ＨＭＩ７０における運転操作系の構成に対する操作によって、手動運転モードに切り替えること（オーバーライド）は可能である。オーバーライドは、例えば自車両Ｍの車両乗員によるＨＭＩ７０の運転操作系に対する操作力が閾値を超える状態が所定時間以上継続した場合、所定の操作変化量（例えばアクセルペダル７１のアクセル開度、ブレーキペダル７４のブレーキ踏量、ステアリングホイール７８のステアリング操舵角）以上の場合、または運転操作系に対する操作を所定回数以上行った場合などに開始される。
【００６２】
また、自動運転モード制御部１３０は、高精度地図情報ＭＩを参照して、自車位置認識部１４０により認識された自車両Ｍの位置から、所定距離（例えば、各種センサの検出範囲の数倍程度の距離）の範囲内に特定地点が存在する場合、自車両Ｍが特定地点に到達する前に、自動運転モードを、より自動運転の度合の低いモードに切り替えてよい。
【００６３】
自動運転制御部１２０の自車位置認識部１４０は、車両側記憶部１８０に格納された高精度地図情報ＭＩと、ファインダ２０、レーダ３０、カメラ４０、ナビゲーション装置５０、または車両センサ６０から入力される情報とに基づいて、自車両Ｍが走行している車線（走行車線）、および、走行車線に対する自車両Ｍの相対位置を認識する。
【００６４】
自車位置認識部１４０は、例えば、高精度地図情報ＭＩから認識される道路区画線のパターン（例えば実線と破線の配列）と、カメラ４０によって撮像された画像から認識される自車両Ｍの周辺の道路区画線のパターンとを比較することで、走行車線を認識する。この認識において、ナビゲーション装置５０から取得される自車両Ｍの位置やＩＮＳによる処理結果が加味されてもよい。
【００６５】
図５は、自車位置認識部１４０により走行車線Ｌ１に対する自車両Ｍの相対位置が認識される様子を示す図である。自車位置認識部１４０は、例えば、自車両Ｍの基準点（例えば重心）の走行車線中央ＣＬからの乖離ＯＳ、および自車両Ｍの進行方向の走行車線中央ＣＬを連ねた線に対してなす角度θを、走行車線Ｌ１に対する自車両Ｍの相対位置として認識する。なお、これに代えて、自車位置認識部１４０は、自車線Ｌ１のいずれかの側端部に対する自車両Ｍの基準点の位置などを、走行車線に対する自車両Ｍの相対位置として認識してもよい。自車位置認識部１４０により認識される自車両Ｍの相対位置は、目標車線決定部１１０に提供される。
【００６６】
外界認識部１４２は、ファインダ２０、レーダ３０、カメラ４０等から入力される情報に基づいて、周辺車両の位置、および速度、加速度等の状態を認識する。周辺車両とは、例えば、自車両Ｍの周辺を走行する車両であって、自車両Ｍと同じ方向に走行する車両である。周辺車両の位置は、他車両の重心やコーナー等の代表点で表されてもよいし、他車両の輪郭で表現された領域で表されてもよい。周辺車両の「状態」とは、上記各種機器の情報に基づいて把握される、周辺車両の加速度、車線変更をしているか否か（あるいは車線変更をしようとしているか否か）を含んでもよい。また、外界認識部１４２は、周辺車両に加えて、ガードレールや電柱、駐車車両、歩行者その他の物体の位置を認識してもよい。
【００６７】
行動計画生成部１４４は、自動運転のスタート地点、および／または自動運転の目的地を設定する。自動運転のスタート地点は、自車両Ｍの現在位置であってもよいし、自動運転を指示する操作がなされた地点でもよい。行動計画生成部１４４は、そのスタート地点と自動運転の目的地との間の区間において、行動計画を生成する。なお、これに限らず、行動計画生成部１４４は、任意の区間について行動計画を生成してもよい。
【００６８】
行動計画は、例えば、順次実行される複数のイベントで構成される。イベントには、例えば、自車両Ｍを減速させる減速イベントや、自車両Ｍを加速させる加速イベント、走行車線を逸脱しないように自車両Ｍを走行させるレーンキープイベント、走行車線を変更させる車線変更イベント、自車両Ｍに前走車両を追い越させる追い越しイベント、分岐ポイントにおいて所望の車線に変更させたり、現在の走行車線を逸脱しないように自車両Ｍを走行させたりする分岐イベント、本線に合流するための合流車線において自車両Ｍを加減速させ、走行車線を変更させる合流イベント、自動運転の開始地点で手動運転モードから自動運転モードに移行させたり、自動運転の終了予定地点で自動運転モードから手動運転モードに移行させたり、自動運転中に手動運転モードに移行させたりするハンドオーバイベント等が含まれる。行動計画生成部１４４は、目標車線決定部１１０により決定された目標車線が切り替わる箇所において、車線変更イベント、分岐イベント、または合流イベントを設定する。行動計画生成部１４４によって生成された行動計画を示す情報は、行動計画情報１８６として車両側記憶部１８０に格納される。
【００６９】
図６は、ある区間について生成された行動計画の一例を示す図である。図示するように、行動計画生成部１４４は、目標車線情報１８４が示す目標車線上を自車両Ｍが走行するために必要な行動計画を生成する。なお、行動計画生成部１４４は、自車両Ｍの状況変化に応じて、目標車線情報１８４に拘わらず、動的に行動計画を変更してもよい。例えば、行動計画生成部１４４は、車両走行中に外界認識部１４２によって認識された周辺車両の速度が閾値を超えたり、自車線に隣接する車線を走行する周辺車両の移動方向が自車線方向に向いたりした場合に、自車両Ｍが走行予定の運転区間に設定されたイベントを変更する。例えば、レーンキープイベントの後に車線変更イベントが実行されるようにイベントが設定されている場合において、外界認識部１４２の認識結果によって当該レーンキープイベント中に車線変更先の車線後方から車両が閾値以上の速度で進行してきたことが判明した場合、行動計画生成部１４４は、レーンキープイベントの次のイベントを、車線変更イベントから減速イベントやレーンキープイベント等に変更してよい。この結果、車両制御システム１００は、外界の状態に変化が生じた場合においても、安全に自車両Ｍを自動走行させることができる。
【００７０】
図７は、軌道生成部１４６の構成の一例を示す図である。軌道生成部１４６は、例えば、走行態様決定部１４６Ａと、軌道候補生成部１４６Ｂと、評価・選択部１４６Ｃとを備える。
【００７１】
走行態様決定部１４６Ａは、レーンキープイベントを実施する際に、定速走行、追従走行、低速追従走行、減速走行、カーブ走行、障害物回避走行などのうちいずれかの走行態様を決定する。例えば、走行態様決定部１４６Ａは、自車両Ｍの前方に他車両が存在しない場合に、走行態様を定速走行に決定する。また、走行態様決定部１４６Ａは、前走車両に対して追従走行するような場合に、走行態様を追従走行に決定する。また、走行態様決定部１４６Ａは、渋滞場面などにおいて、走行態様を低速追従走行に決定する。また、走行態様決定部１４６Ａは、外界認識部１４２により前走車両の減速が認識された場合や、停車や駐車などのイベントを実施する場合に、走行態様を減速走行に決定する。また、走行態様決定部１４６Ａは、外界認識部１４２により自車両Ｍがカーブ路に差し掛かったことが認識された場合に、走行態様をカーブ走行に決定する。また、走行態様決定部１４６Ａは、外界認識部１４２により自車両Ｍの前方に障害物が認識された場合に、走行態様を障害物回避走行に決定する。また、走行態様決定部１４６Ａは、車線変更イベント、追い越しイベント、分岐イベント、合流イベント、ハンドオーバイベントなどを実施する場合に、それぞれのイベントに応じた走行態様を決定する。
【００７２】
また、走行態様決定部１４６Ａは、例えば、外界認識部１４２により認識された周辺車両（例えば前走車両）の速度が一定速度以下であり、且つ周辺車両までの車間距離が一定値以下であれば、上述したモードＡにおいて、例えば、走行態様を低速追従走行に決定する。また、走行態様決定部１４６Ａは、例えば、周辺車両（例えば前走車両）の速度が一定速度以上であり、且つ周辺車両までの車間距離が一定値以上であれば、上述したモードＢにおいて、例えば、走行態様を定速走行に決定する。
【００７３】
軌道候補生成部１４６Ｂは、走行態様決定部１４６Ａにより決定された走行態様に基づいて、軌道の候補を生成する。図８は、軌道候補生成部１４６Ｂにより生成される軌道の候補の一例を示す図である。図８は、自車両Ｍが車線Ｌ１から車線Ｌ２に車線変更する場合に生成される軌道の候補を示している。
【００７４】
軌道候補生成部１４６Ｂは、図８に示すような軌道を、例えば、将来の所定時間ごとに、自車両Ｍの基準位置（例えば重心や後輪軸中心）が到達すべき目標位置（軌道点Ｋ）の集まりとして決定する。図９は、軌道候補生成部１４６Ｂにより生成される軌道の候補を軌道点Ｋで表現した図である。軌道点Ｋの間隔が広いほど、自車両Ｍの速度は速くなり、軌道点Ｋの間隔が狭いほど、自車両Ｍの速度は遅くなる。従って、軌道候補生成部１４６Ｂは、加速したい場合には軌道点Ｋの間隔を徐々に広くし、減速したい場合は軌道点の間隔を徐々に狭くする。
【００７５】
このように、軌道点Ｋは速度成分を含むものであるため、軌道候補生成部１４６Ｂは、軌道点Ｋのそれぞれに対して目標速度を与える必要がある。目標速度は、走行態様決定部１４６Ａにより決定された走行態様に応じて決定される。
【００７６】
ここで、車線変更（分岐を含む）を行う場合の目標速度の決定手法について説明する。軌道候補生成部１４６Ｂは、まず、車線変更ターゲット位置（或いは合流ターゲット位置）を設定する。車線変更ターゲット位置は、周辺車両との相対位置として設定されるものであり、「どの周辺車両の間に車線変更するか」を決定するものである。軌道候補生成部１４６Ｂは、車線変更ターゲット位置を基準として３台の周辺車両に着目し、車線変更を行う場合の目標速度を決定する。図１０は、車線変更ターゲット位置ＴＡを示す図である。図中、Ｌ１は自車線を表し、Ｌ２は隣接車線を表している。ここで、自車両Ｍと同じ車線で、自車両Ｍの直前を走行する周辺車両を前走車両ｍＡ、車線変更ターゲット位置ＴＡの直前を走行する周辺車両を前方基準車両ｍＢ、車線変更ターゲット位置ＴＡの直後を走行する周辺車両を後方基準車両ｍＣと定義する。自車両Ｍは、車線変更ターゲット位置ＴＡの側方まで移動するために加減速を行う必要があるが、この際に前走車両ｍＡに追いついてしまうことを回避しなければならない。このため、軌道候補生成部１４６Ｂは、３台の周辺車両の将来の状態を予測し、各周辺車両と干渉しないように目標速度を決定する。
【００７７】
図１１は、３台の周辺車両の速度を一定と仮定した場合の速度生成モデルを示す図である。図中、ｍＡ、ｍＢおよびｍＣから延出する直線は、それぞれの周辺車両が定速走行したと仮定した場合の進行方向における変位を示している。自車両Ｍは、車線変更が完了するポイントＣＰにおいて、前方基準車両ｍＢと後方基準車両ｍＣとの間にあり、且つ、それ以前において前走車両ｍＡよりも後ろにいなければならない。このような制約の下、軌道候補生成部１４６Ｂは、車線変更が完了するまでの目標速度の時系列パターンを、複数導出する。そして、目標速度の時系列パターンをスプライン曲線等のモデルに適用することで、図９に示すような軌道の候補を複数導出する。なお、３台の周辺車両の運動パターンは、図１１に示すような定速度に限らず、定加速度、定ジャーク（躍度）を前提として予測されてもよい。
【００７８】
評価・選択部１４６Ｃは、軌道候補生成部１４６Ｂにより生成された軌道の候補に対して、例えば、計画性と安全性の二つの観点で評価を行い、走行制御部１６０に出力する軌道を選択する。計画性の観点からは、例えば、既に生成されたプラン（例えば行動計画）に対する追従性が高く、軌道の全長が短い場合に軌道が高く評価される。例えば、右方向に車線変更することが望まれる場合に、一旦左方向に車線変更して戻るといった軌道は、低い評価となる。安全性の観点からは、例えば、それぞれの軌道点において、自車両Ｍと物体（周辺車両等）との距離が遠く、加減速度や操舵角の変化量などが小さいほど高く評価される。
【００７９】
切替制御部１５０は、自動運転切替スイッチ８７から入力される信号、その他に基づいて自動運転モードと手動運転モードとを相互に切り替える。また、切替制御部１５０は、ＨＭＩ７０における運転操作系の構成に対する加速、減速または操舵を指示する操作に基づいて、自動運転モードから手動運転モードに切り替える。例えば、切替制御部１５０は、ＨＭＩ７０における運転操作系の構成から入力された信号の示す操作量が閾値を超えた状態が、基準時間以上継続した場合に、自動運転モードから手動運転モードに切り替える（オーバーライド）。また、切替制御部１５０は、オーバーライドによる手動運転モードへの切り替えの後、所定時間の間、ＨＭＩ７０における運転操作系の構成に対する操作が検出されなかった場合に、自動運転モードに復帰させてもよい。また、切替制御部１５０は、例えば自動運転の終了予定地点で自動運転モードから手動運転モードに移行するハンドオーバ制御を行う場合に、車両乗員に対して事前にハンドオーバリクエストを通知するため、その旨の情報を、ＨＭＩ制御部１７０に出力する。
【００８０】
また、切替制御部１５０は、ファインダ２０、レーダ３０、カメラ４０等のセンサに異常が生じたり、車両制御システム１００内部において各要素間での情報の受け渡しに異常が生じたりして、自動運転モードが継続することができない場合、手動運転モードに切り替えてよい。センサの異常とは、例えば、センサの検出結果を車両制御システム１００側に送信できない状態、センサの検出結果が異常値を示している状態などである。また、要素間での情報の受け渡しの異常とは、例えば、軌道生成部１４６により生成された軌道の情報が一定時間内に走行制御部１６０に送信されない状態などである。
【００８１】
また、切替制御部１５０は、高精度地図情報ＭＩを参照して、自車位置認識部１４０により認識された自車両Ｍの位置から、所定距離の範囲内に特定地点が存在する場合、自車両Ｍが特定地点に到達する前に予め運転モードを自動運転モードから手動運転モードに切り替えてよい。
【００８２】
走行制御部１６０は、軌道生成部１４６によって生成された軌道を、予定の時刻通りに自車両Ｍが通過するように、走行駆動力出力装置２００、ステアリング装置２１０、およびブレーキ装置２２０を制御する。
【００８３】
図１２は、ＨＭＩ制御部１７０の構成の一例を示す図である。ＨＭＩ制御部１７０は、モード別制御部１７０Ａと、地図編集部１７０Ｂと、情報提供部１７０Ｃとを備える。
【００８４】
モード別制御部１７０Ａは、自動運転制御部１２０により自動運転のモードの情報が通知されると、モード別操作可否情報１８８を参照して、自動運転のモードの種別に応じてＨＭＩ７０を制御する。
【００８５】
図１３は、モード別操作可否情報１８８の一例を示す図である。図１３に示すモード別操作可否情報１８８は、運転モードの項目として「手動運転モード」、「自動運転モード」とを有する。また、「自動運転モード」として、上述した「モードＡ」、「モードＢ」、および「モードＣ」等を有する。また、モード別操作可否情報１８８は、非運転操作系の項目として、ナビゲーション装置５０に対する操作である「ナビゲーション操作」、コンテンツ再生装置８５に対する操作である「コンテンツ再生操作」、表示装置８２に対する操作である「インストルメントパネル操作」等を有する。図１３に示すモード別操作可否情報１８８の例では、上述した運転モードごとに非運転操作系に対する車両乗員の操作の可否が設定されているが、対象のインターフェース装置は、これに限定されるものではない。
【００８６】
モード別制御部１７０Ａは、自動運転制御部１２０から取得したモードの情報とモード別操作可否情報１８８と参照することで、使用が許可される装置（ナビゲーション装置５０およびＨＭＩ７０の一部または全部）と、使用が許可されない装置とを判定する。また、モード別制御部１７０Ａは、判定した結果に基づいて、非運転操作系のＨＭＩ７０、またはナビゲーション装置５０に対する車両乗員からの操作の受け付けの可否を制御する。
【００８７】
例えば、車両制御システム１００が実行する運転モードが手動運転モードの場合、車両乗員は、ＨＭＩ７０の運転操作系（例えば、アクセルペダル７１、ブレーキペダル７４、シフトレバー７６、およびステアリングホイール７８等）を操作する。また、車両制御システム１００が実行する運転モードが自動運転モードのモードＢ、モードＣ等である場合、車両乗員には、自車両Ｍの周辺監視義務が生じる。このような場合、車両乗員の運転以外の行動（例えばＨＭＩ７０の操作等）により注意が散漫になること（ドライバーディストラクション）を防止するため、モード別制御部１７０Ａは、ＨＭＩ７０の非運転操作系の一部または全部に対する操作を受け付けないように制御を行う。この際、モード別制御部１７０Ａは、車両乗員に自車両Ｍの周辺監視を行わせるために、外界認識部１４２により認識された自車両Ｍの周辺車両の存在やその周辺車両の状態を、表示装置８２に画像などで表示させると共に、自車両Ｍの走行時の場面に応じた確認操作をＨＭＩ７０に受け付けさせてよい。
【００８８】
また、モード別制御部１７０Ａは、運転モードが自動運転のモードＡである場合、ドライバーディストラクションの規制を緩和し、操作を受け付けていなかった非運転操作系に対する車両乗員の操作を受け付ける制御を行う。例えば、モード別制御部１７０Ａは、表示装置８２に映像を表示させたり、スピーカ８３に音声を出力させたり、コンテンツ再生装置８５にＤＶＤなどからコンテンツを再生させたりする。なお、コンテンツ再生装置８５が再生するコンテンツには、ＤＶＤなどに格納されたコンテンツの他、例えば、テレビ番組等の娯楽、エンターテイメントに関する各種コンテンツが含まれてよい。また、上述した図１３に示す「コンテンツ再生操作」は、このような娯楽、エンターテイメントに関するコンテンツ操作を意味するものであってよい。
【００８９】
また、モードＡからモードＢまたはモードＣに切り替わる場合、すなわち車両乗員の周辺監視義務が増加する自動運転のモードへの切り替えが行われる場合、モード別制御部１７０Ａは、ナビゲーション装置５０または非運転操作系のＨＭＩ７０に、周辺監視義務が増加すること示す情報や、ナビゲーション装置５０または非運転操作系のＨＭＩ７０に対する操作許容度が低くなる（操作が制限される）ことを示す情報を出力させる。なお、この情報は、これらに限定されるものではなく、例えばハンドオーバ制御への準備を促すような情報であってもよい。
【００９０】
上述したように、モード別制御部１７０Ａは、例えば運転モードが上述したモードＡからモードＢまたはモードＣへ切り替わる所定時間前や自車両Ｍが所定速度に至る前に車両乗員に対して警告等を報知することで、自車両Ｍの周辺監視義務が車両乗員に課されることを、適切なタイミングで車両乗員に通知することができる。この結果、自動運転の切り替わりへの準備期間を車両乗員に与えることができる。
【００９１】
また、モード別制御部１７０Ａは、例えば、自動運転制御部１２０から通知されるモードの情報を参照して、モードＡからモードＢのように自動運転の度合が低くなるモードに切り替わることが判断できた場合、車両毎モード切替情報を生成し、この情報を車両側通信装置５５を用いてサーバ装置３００に送信する。なお、自動運転の度合が低くなるモードには、手動運転モードが含まれてよい。車両毎モード切替情報は、「切替地点に関する情報」の一例である。
【００９２】
図１４は、車両毎モード切替情報の一例を示す図である。図示のように、車両毎モード切替情報は、自車両Ｍが走行した経路（車線あるいは道路の位置情報）ごとに、モード切替の有無と、モード切替が行われた時刻と、モード切替に至った事由とが対応付けられる。モード切替の有無の項目には、例えば、行動計画情報１８６により予定されたモード切り替えとは異なる、意図しないモード切り替えが行われた場合、「有り」の情報が格納される。より具体的には、行動計画により予定されていないときに、モードＡからモードＢへの切替や、いずれかの自動運転モードから手動運転モードへの切替のように自動運転の度合が低くなるモードに切り替わった場合に「有り」の情報が格納される。なお、自動運転モードが意図しない切り替えを行うことなく予定通りに終了した場合、モード切替の有無の項目には「無し」の情報が格納される。モード切替に至った事由の項目には、例えば、「周辺が、昼間にも関わらずカメラ４０によって撮像できない暗さであった」といった情報や、「合流地点が混雑しており自動的な合流ができなかった」といった情報が格納される。この車両毎モード切替情報は、例えば、一日単位などの所定時間間隔ごとに生成される。
【００９３】
例えば、夕暮れ時にカメラ４０に直射日光が当たるなどして撮像画像上に所定値以上の輝度値を有する画素が画像大半を占める場合、カメラ４０の検出精度が低下しやすい。そのため、夕暮れの時刻には、例えば、切替制御部１５０が運転モードを手動運転モードに切り替えたり、自動運転モード制御部１３０がより周辺監視の義務が増すように運転モードを自動運転の度合の低いモードに切り替えたりする。この結果、夕暮れ時に走行した経路に対しては、周囲が想定外の明るさであったためにカメラ４０の検出精度の低下し、これによってモード切替が生じた旨の情報が対応付けられる。
【００９４】
また、朝方や夕方などの時刻において通勤者や学童生徒の歩行者や自転車が多い時刻には、走行態様決定部１４６Ａにより歩行者や自転車などが障害物と判定される場合が多くなりやすい。また、同様に、朝方や夕方などの時刻においては渋滞が生じやすい。この場合、一例として、自動運転モード制御部１３０が自動運転の度合の低いモードへの切り替えを頻繁に行ったり、切替制御部１５０が自動運転モード中に手動運転モードに頻繁に切り替えたりする。この場合、モード別制御部１７０Ａは、朝夕に走行した経路に対してモード切替が頻繁に必要だった旨の情報を対応付ける。
【００９５】
また、高層ビルなどの建物が密集している地点では、レーダ３０から放射された電波は乱反射されやすく、周辺車両などの物体の検出精度が低下する傾向がある。このため、この地点では、例えば、切替制御部１５０が運転モードを手動運転モードに切り替えたり、自動運転モード制御部１３０が運転モードを自動運転の度合の低いモードに切り替えたりする。従って、高層ビルなどの建物が密集している地点では、電波反射物が密集していたためにレーダ３０の検出精度の低下し、これによってモード切替が生じた旨の情報が対応付けられる。
【００９６】
また、路面凍結などで自動運転モードを継続できない地点では、例えば、切替制御部１５０が運転モードを手動運転モードに切り替えるため、この地点では、外界認識部１４２による認識結果に基づいてモード切替が生じた旨の情報が対応付けられる。
【００９７】
なお、周囲の外部環境に依存しない車両内部の異常（センサの異常や情報の通信異常）が生じて運転モードが切り替わった場合、モード別制御部１７０Ａは、車両毎モード切替情報に、これら異常に起因して生じたモード切り替えに関する情報を含めなくてよい。すなわち、周囲の外部環境に依存しない車両内部の異常でモード切り替えを行った場合には、このモード切り替えの情報は、通信システム１に含まれる他車両に通知される必要性は低いため、サーバ装置３００にアップロード（送信）されないものとして扱われる。なお、車両内部の異常でモード切り替えを行ったという情報がサーバ装置３００にアップロードされた場合には、サーバ装置３００側がこの情報を除外してよい。
【００９８】
地図編集部１７０Ｂは、車両側通信装置５５により「特定地点に関する情報」が受信された場合、車両側記憶部１８０に格納された高精度地図情報ＭＩに、特定地点に関する情報が示す特定地点の位置情報を追加して、高精度地図情報ＭＩを編集する。
【００９９】
図１５は、特定地点の位置情報が追加された高精度地図情報ＭＩの一例を示す図である。図中ＳＰは、特定地点を示している。図示のように、高精度地図上に特定地点ＳＰの位置が追加されると、この地点を含む区間は、例えば、ハンドオーバイベントや、自動運転モード下において自動運転の度合の低いモードに切り替えるイベントなどに変更される。
【０１００】
情報提供部１７０Ｃは、地図編集部１７０Ｂにより編集された高精度地図情報ＭＩ、または車両側通信装置５５により受信された、特定地点の位置情報を含む高精度地図情報ＭＩを参照して、高精度地図情報ＭＩが示す特定地点に自車両Ｍが接近する場合、自車両Ｍが特定地点に到達する前に、ナビゲーション装置５０やＨＭＩ７０を用いて、所定の情報を出力する。所定の情報とは、例えば、特定地点の存在を示す情報や、特定地点に到達するまでに要する距離または時間を示す情報、特定地点付近でモードの切り替えが生じることを示す情報などである。例えば、情報提供部１７０Ｃは、自車位置認識部１４０により認識された自車両Ｍの位置から、所定距離の範囲内に特定地点が存在する場合、特定地点に到達する所定距離手前、或いは所定時間前の時点で、スピーカ８３から音声（ビープ音やアナウンス音声）を出力させたり、表示装置８２に画像を表示させたりすることで、特定地点の存在や、特定地点に到達するまでに要する距離または時間などの情報を車両乗員に提供する。
【０１０１】
図１６は、車両制御システム１００により行われる処理の流れの一例を示すフローチャートである。本フローチャートの処理は、サーバ装置３００から高精度地図情報ＭＩまたは特定地点に関する情報を受信する際に行われる。
【０１０２】
まず、地図編集部１７０Ｂは、車両側通信装置５５により、特定地点に関する情報を含む高精度地図情報ＭＩが受信されたか否かを判定し（ステップＳ１００）、車両側通信装置５５により高精度地図情報ＭＩが受信される場合、これを車両側記憶部１８０に記憶された高精度地図情報ＭＩに上書きして、高精度地図情報ＭＩを更新する（ステップＳ１０２）。
【０１０３】
一方、車両側通信装置５５により高精度地図情報ＭＩが受信されない場合、地図編集部１７０Ｂは、車両側通信装置５５により特定地点に関する情報が受信されたか否かを判定し（ステップＳ１０４）、車両側通信装置５５により特定地点に関する情報が受信された場合、特定地点に関する情報が示す特定地点の位置情報を、車両側記憶部１８０に記憶された高精度地図情報ＭＩに追加することで高精度地図情報ＭＩを編集する（ステップＳ１０６）。
【０１０４】
一方、車両側通信装置５５により特定地点に関する情報が受信されない場合、地図編集部１７０Ｂは、上述したＳ１００に処理を移し、特定地点に関する情報を含む高精度地図情報ＭＩ、または特定地点に関する情報のいずれかが受信されるまで待機する。
【０１０５】
次に、情報提供部１７０Ｃは、高精度地図情報ＭＩを参照して、自車位置認識部１４０により認識された自車両Ｍの位置から、所定距離の範囲内に特定地点が存在するか否かを判定する（ステップＳ１０８）。所定距離の範囲内に特定地点が存在しない場合、ＨＭＩ制御部１７０は、本フローチャートの処理を終了する。
【０１０６】
一方、所定距離の範囲内に特定地点が存在する場合、情報提供部１７０Ｃは、ナビゲーション装置５０やＨＭＩ７０を用いて、自車両Ｍが特定地点に到達する前に、所定の情報を出力する（ステップＳ１１０）。この際、実行する運転モードがいずれかの自動運転モードである場合、自動運転モード制御部１３０は、自車両Ｍが特定地点に到達する前に、予め自動運転モードを、より自動運転の度合の低いモードに切り替えてよい。また、切替制御部１５０は、自車両Ｍが特定地点に到達する前に、予め運転モードを自動運転モードから手動運転モードに切り替えてよい。これによって、本フローチャートの処理が終了する。
【０１０７】
［サーバ装置］
以下、サーバ装置３００について説明する。図１７は、実施形態におけるサーバ装置３００の構成の一例を示す図である。サーバ装置３００は、例えば、サーバ側通信部３１０と、サーバ側制御部３２０と、サーバ側記憶部３３０とを備える。
【０１０８】
サーバ側通信部３１０は、無線基地局ＢＳおよびネットワークＮＷを介して車両側通信装置５５と通信を行う。例えば、サーバ側通信部３１０は、複数の車両のそれぞれに搭載された車両側通信装置５５から車両毎モード切替情報を収集する。以下、車両側通信装置５５から収集した車両毎モード切替情報に符号３３２を付して説明する。
【０１０９】
サーバ側制御部３２０は、例えば、頻度導出部３２２と、特定地点導出部３２４とを備える。これらのうち一部または全部は、プロセッサがプログラム（ソフトウェア）を実行することにより実現される。また、これらのうち一部または全部は、ＬＳＩやＡＳＩＣ等のハードウェアによって実現されてもよいし、ソフトウェアとハードウェアの組み合わせによって実現されてもよい。
【０１１０】
サーバ側記憶部３３０には、例えば、車両毎モード切替情報３３２、モード切替頻度情報３３４、高精度地図情報ＭＩなどの情報が格納される。サーバ側記憶部３３０は、ＲＯＭやＲＡＭ、ＨＤＤ、フラッシュメモリ等で実現される。プロセッサが実行するプログラムは、予めサーバ側記憶部３３０に格納されていてもよいし、ネットワークＮＷを介して外部装置からダウンロードされてもよい。また、プログラムは、そのプログラムを格納した可搬型記憶媒体が図示しないドライブ装置に装着されることでサーバ側記憶部３３０にインストールされてもよい。また、サーバ装置３００は、複数のコンピュータ装置によって分散化されたものであってもよい。
【０１１１】
頻度導出部３２２は、サーバ側通信部３１０により収集された車両毎モード切替情報３３２に基づいて、自車両Ｍが走行した経路および時刻ごとに、運転モードの切り替え頻度を導出する。例えば、頻度導出部３２２は、車両毎モード切替情報３３２を参照して、モード切替が行われた経路および時刻について運転モードの切り替え回数を統計的に計算し、経路ごとおよび時刻ごとに運転モードの切り替え頻度を導出する。運転モードの切り替え頻度は、「運転モードの切り替えの有無を統計した数値に基づく指標」の一例である。
【０１１２】
例えば、頻度導出部３２２は、経路ごとおよび時刻ごとに、車両毎モード切替情報３３２が示すモード切替の有無の項目を参照して、モード切替が行われなかった回数（モード切替「無し」）と、モード切替が行われた回数（モード切替「有り」）とを加算した値を母数とし、この母数に対するモード切替が行われた回数の割合を頻度として導出する。なお、頻度導出に用いる母数は、例えば渋滞予測などに利用される、経路ごとにカウントされた車両台数などであってもよい。この場合、車両台数には、車両制御システム１００またはこれに相当する装置を搭載した車両（以下、自動運転車両）と、これら装置が搭載されない車両（以下、手動運転車両）とが含まれ得る。従って、経路ごとの車両台数を母数として用いる場合には、自動運転車両の普及率などを考慮してよい。例えば、経路ごとの車両台数に自動運転車両の普及率を乗算した値を母数として扱ってよい。
【０１１３】
そして、頻度導出部３２２は、導出した頻度に対して線形加重移動平均や指数移動平均等の統計処理を行う。例えば、頻度導出部３２２は、モード切り替えが行われた時刻が新しい頻度ほど重みを大きくし、時刻が古い頻度ほど重みを小さくする傾向で経路ごとに頻度を平均化する。より具体的には、頻度導出部３２２は、例えば、５日前、４日前、３日前といったように日を追うごとに、日付に対応する頻度に付加する重みを大きくして、頻度を平均化する。このようにして導出された運転モードの切り替え頻度は、モード切替頻度情報３３４としてサーバ側記憶部３３０に記憶される。
【０１１４】
図１８は、モード切替頻度情報３３４の一例を示す図である。図示のように、モード切替頻度情報３３４は、日ごとおよび経路ごとに、走行距離および時刻に関して運転モードの切り替え頻度が対応付けられたマップを有している。なお、モード切替頻度情報３３４のマップは、マップに相当するテーブルや関数などに置き換わってもよい。
【０１１５】
図１９および図２０は、モード切替頻度情報３３４のマップの一例を示す図である。図１９の例に示すマップでは、ある地点における時刻に対する運転モードの切り替え頻度の変化を表している。また、図２０の例に示すマップでは、ある経路における走行距離に対する運転モードの切り替え頻度の変化を表している。
【０１１６】
特定地点導出部３２４は、頻度導出部３２２により導出されたモード切替頻度情報３３４を参照して、特定地点の位置を導出する。
【０１１７】
例えば、上述した図１９の例において、特定地点導出部３２４は、運転モードの切り替え頻度が閾値Ｔｈを超えるか否かを判定し、運転モードの切り替え頻度が閾値Ｔｈを超える場合、頻度が閾値Ｔｈ以上である時間（図中ｔ１からｔ２の時間）において自車両Ｍ（または他車両）が走行していた地点を、特定地点として導出する。
【０１１８】
また、上述した図２０の例において、特定地点導出部３２４は、運転モードの切り替え頻度が閾値Ｔｈを超えるか否かを判定し、運転モードの切り替え頻度が閾値Ｔｈを超える場合、頻度が閾値Ｔｈ以上である区間（図中Ｐ１からＰ２の区間）を、特定地点として導出する。
【０１１９】
そして、特定地点導出部３２４は、サーバ側通信部３１０を用いて、導出した特定地点の位置情報を、特定地点に関する情報として一または複数の車両のそれぞれに搭載された車両側通信装置５５に配信する。
【０１２０】
なお、特定地点導出部３２４は、特定地点の位置情報を配信する代わりに、特定地点の位置情報を追加した高精度地図情報ＭＩを配信してもよい。例えば、特定地点導出部３２４は、サーバ側記憶部３３０に格納された高精度地図情報ＭＩを参照して、導出した特定地点の位置情報を高精度地図情報ＭＩのうち一部または全部に追加する。例えば、特定地点導出部３２４は、車両制御システム１００が搭載された車両が走行する予定の区間を含む一部の高精度地図情報ＭＩに対してのみ、特定地点の位置情報を追加する。そして、特定地点導出部３２４は、サーバ側通信部３１０を用いて、特定地点の位置情報を追加した高精度地図情報ＭＩを、一または複数の車両のそれぞれに搭載された車両側通信装置５５に配信する。
【０１２１】
以下、サーバ装置３００の一連の処理の流れについて説明する。図２１は、サーバ装置３００により行われる処理の流れの一例を示すフローチャートである。
【０１２２】
まず、頻度導出部３２２は、サーバ側通信部３１０により車両毎モード切替情報３３２が受信されるまで待機し（ステップＳ２００）、車両毎モード切替情報３３２が受信されると、車両毎モード切替情報３３２に基づいて、自車両Ｍが走行した経路および時刻ごとに、運転モードの切り替え頻度を導出する（ステップＳ２０２）。
【０１２３】
次に、特定地点導出部３２４は、頻度導出部３２２により導出された運転モードの切り替え頻度に基づいて、特定地点の位置を導出する（ステップＳ２０４）。次に、特定地点導出部３２４は、所定の送信タイミングが到来するまで待機し（ステップＳ２０６）、送信タイミングが到来すると、サーバ側通信部３１０を用いて、導出した特定地点の位置情報を、特定地点に関する情報として一または複数の車両のそれぞれに搭載された車両側通信装置５５に配信する（ステップＳ２０８）。また、特定地点導出部３２４は、特定地点の位置情報を配信する代わりに、サーバ側記憶部３３０に格納された高精度地図情報ＭＩのうち一部または全部に、特定地点の位置情報を追加して、これを車両側通信装置５５に配信してもよい。
【０１２４】
これによって、サーバ装置３００は、各車両に搭載された車両制御システム１００に、特定の時刻に日差しの強くなる地点、電波が干渉する地点、路面凍結の生じやすい地点、渋滞が発生しやすい地点などを含む特定地点の存在を通知することができる。この結果、車両制御システム１００は、特定地点に到達する前に車両乗員に注意を促したり、モード切り替えを行ったりすることができる。
【０１２５】
以上説明した実施形態によれば、自車両Ｍの周辺状況を認識し、自車両Ｍの速度制御と操舵制御とのうち少なくとも一方を自動的に行う自動運転モードを含む複数の運転モードを実行し、自車両Ｍの周辺状況に基づいて、実行する運転モードを切り替え、周辺状況に基づいて自動運転の度合が低い運転モードに切り替えられた切替地点に関する情報（車両毎モード切替情報）をサーバ装置３００に送信すると共に、サーバ装置３００から、車両から収集された切替地点に関する情報に基づいて決定された特定地点に関する情報（高精度地図情報ＭＩや特定地点に関する情報そのもの）を受信し、受信した特定地点に関する情報が示す特定地点に自車両Ｍが接近した場合に、所定の情報を出力することにより、自動運転の切り替わりが多い特定地点の情報を予め車両乗員に報知し、車両乗員に種々の行動をとらせることができる。
【０１２６】
また、上述した実施形態によれば、自動運転制御部１２０が高精度地図情報ＭＩに含まれる特定地点の位置情報を参照することで、自動運転の度合が大きいモードを継続できる状況において、特定地点に到達する前に事前に自動運転の度合が小さいモードに切り替えることができるため、車両乗員にゆとりを持って種々の行動をとらせることができる。
【０１２７】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【０１２８】
２０…ファインダ、３０…レーダ、４０…カメラ、ＤＤ…検知デバイス、５０…ナビゲーション装置、５５…車両側通信装置、６０…車両センサ、７０…ＨＭＩ、１００…車両制御システム、１１０…目標車線決定部、１２０…自動運転制御部、１３０…自動運転モード制御部、１４０…自車位置認識部、１４２…外界認識部、１４４…行動計画生成部、１４６…軌道生成部、１４６Ａ…走行態様決定部、１４６Ｂ…軌道候補生成部、１４６Ｃ…評価・選択部、１５０…切替制御部、１６０…走行制御部、１７０…ＨＭＩ制御部、１８０…車両側記憶部、２００…走行駆動力出力装置、２１０…ステアリング装置、２２０…ブレーキ装置、Ｍ…自車両、３００…サーバ装置、３１０…サーバ側通信部、３２０…サーバ側制御部、３２２…頻度導出部、３２４…特定地点導出部、３３０…サーバ側記憶部
【図１】
2017179151.tif 000003
【図２】
2017179151.tif 000004
【図３】
2017179151.tif 000005
【図４】
2017179151.tif 000006
【図５】
2017179151.tif 000007
【図６】
2017179151.tif 000008
【図７】
2017179151.tif 000009
【図８】
2017179151.tif 000010
【図９】
2017179151.tif 000011
【図１０】
2017179151.tif 000012
【図１１】
2017179151.tif 000013
【図１２】
2017179151.tif 000014
【図１３】
2017179151.tif 000015
【図１４】
2017179151.tif 000016
【図１５】
2017179151.tif 000017
【図１６】
2017179151.tif 000018
【図１７】
2017179151.tif 000019
【図１８】
2017179151.tif 000020
【図１９】
2017179151.tif 000021
【図２０】
2017179151.tif 000022
【図２１】
2017179151.tif 000023
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
自車両の周辺状況を認識する認識部と、
前記自車両の速度制御と操舵制御とのうち少なくとも一方を自動的に行う自動運転モードを含む、複数の運転モードを実行する自動運転制御部であって、前記認識部により認識された前記周辺状況に基づいて、実行する運転モードを切り替える自動運転制御部と、
前記自動運転制御部により、前記認識部により認識された前記周辺状況に基づいて自動運転の度合が、運転者による操作が不要な運転モードから前記運転者による操作が必要となる低い運転モードに切り替えられた切替地点に関する情報を外部装置に送信すると共に、前記外部装置から、車両から収集された前記切替地点に関する情報に基づいて導出された特定地点に関する情報を受信する通信部と、
前記通信部により受信された前記特定地点に関する情報が示す特定地点に前記自車両が到達する所定距離手前、または所定時間前の時点で、前記特定地点付近で前記運転モードの切り替えが生じることを示す情報を出力する情報提供部と、
を備える車両制御システム。
【請求項２】
前記自動運転制御部は、前記通信部により受信された前記特定地点に関する情報に基づいて、実行する運転モードを切り替える、
請求項１記載の車両制御システム。
【請求項３】
前記通信部により受信された前記特定地点に関する情報が示す特定地点の位置情報を、地図情報に追加する地図編集部を更に備える、
請求項１または２記載の車両制御システム。
【請求項４】
前記外部装置は、車両から収集された前記切替地点に関する情報に基づいて前記特定地点の位置を導出し、前記導出した特定地点の位置情報を、前記外部装置が保持する地図情報に追加し、
前記通信部により受信される前記特定地点に関する情報は、前記外部装置が保持する地図情報のうち一部または全部に対し、前記特定地点の位置情報が追加された情報である、
請求項１または２記載の車両制御システム。
【請求項５】
前記切替地点に関する情報は、前記車両のそれぞれが前記切替地点のそれぞれにおいて前記運転モードの切り替えを行ったか否かを示す情報を含み、
前記外部装置は、
前記切替地点ごとに、前記運転モードの切り替えの有無を統計した数値に基づく指標を導出し、
前記切替地点ごとに導出した指標が閾値を超える地点を、特定地点として決定し、
前記決定した特定地点に関する情報を、前記通信部に送信する、
請求項１から４のうちいずれか１項に記載の車両制御システム。
【請求項６】
車載コンピュータが、
自車両の周辺状況を認識し、
前記自車両の速度制御と操舵制御とのうち少なくとも一方を自動的に行う自動運転モードを含む複数の運転モードを実行し、
前記認識した前記周辺状況に基づいて、実行する運転モードを切り替え、
前記認識した前記周辺状況に基づいて自動運転の度合が、運転者による操作が不要な運転モードから前記運転者による操作が必要となる低い運転モードに切り替えられた切替地点に関する情報を外部装置に送信すると共に、前記外部装置から、車両から収集された前記切替地点に関する情報に基づいて導出された特定地点に関する情報を受信し、
前記受信した前記特定地点に関する情報が示す特定地点に前記自車両が到達する所定距離手前、または所定時間前の時点で、前記特定地点付近で前記運転モードの切り替えが生じることを示す情報を出力する、
車両制御方法。
【請求項７】
車載コンピュータに、
自車両の周辺状況を認識する処理と、
前記自車両の速度制御と操舵制御とのうち少なくとも一方を自動的に行う自動運転モードを含む複数の運転モードを実行する処理と、
前記認識した前記周辺状況に基づいて、実行する運転モードを切り替える処理と、
前記認識した前記周辺状況に基づいて自動運転の度合が、運転者による操作が不要な運転モードから前記運転者による操作が必要となる低い運転モードに切り替えられた切替地点に関する情報を外部装置に送信すると共に、前記外部装置から、車両から収集された前記切替地点に関する情報に基づいて導出された特定地点に関する情報を受信する処理と、
前記受信した前記特定地点に関する情報が示す特定地点に前記自車両が到達する所定距離手前、または所定時間前の時点で、前記特定地点付近で前記運転モードの切り替えが生じることを示す情報を出力する処理と、
を実行させる車両制御プログラム。
【国際調査報告】
2017179151.tif 000024
2017179151.tif 000025
2017179151.tif 000026
2017179151.tif 000027